(57)【要約】【課題】屋外から屋内への太陽光等の入射光を遮光するために、遮光性フィルムを窓ガラスやドアガラスに貼って使用した際に、その遮光性フィルムが光熱の吸収により熱を帯びたり蓄熱したりすることにより、遮光機能による屋内温度の上昇や温室効果の低減を阻害したりすることなく、結果として屋内温度の上昇や温室効果の増大を招くことがない遮光性フィルムを提供することにある。【解決手段】透明乃至半透明な基材フィルム２の一面に規則的多数の微細な不透光性網点３を備え、少なくとも該不透光性網点３の基材フィルム２側に対して反対側には、鏡面状又は光拡散（光散乱）状の光反射面３ａを備える。【選択図】図４
2011117161.tif 000002
【特許請求の範囲】
【請求項１】
透明乃至半透明な基材フィルム２の一面に規則的多数の不透光性網点部３を備え、少なくとも該不透光性網点部３は基材フィルム２側に対して反対側に光反射網点３ａを備えることを特徴とする遮光性窓用フィルム。
【請求項２】
透明乃至半透明な基材フィルム２の一面に規則的多数の不透光性網点部３を備え、該不透光性網点部３は少なくとも基材フィルム２側に対して反対側に光反射網点３ａを備え、該基材フィルム２を挟んで光反射網点３ａと相対する位置に不透光網点３ｂを備えることを特徴とする遮光性窓用フィルム。
【請求項３】
請求項１記載の遮光性窓用フィルムにおいて、前記不透光性網点部３側又は不透光性網点部３と反対側の基材フィルム２の全面を被覆する粘着剤層４を設けたことを特徴とする遮光性窓用フィルム。
【請求項４】
請求項２記載の遮光性窓用フィルムにおいて、前記不透光性網点部３の光反射網点３ａ側又は不透光網点３ｂ側の基材フィルム２の全面を被覆する粘着剤層４を設けたことを特徴とする遮光性窓用フィルム。
【請求項５】
上記請求項１乃至４のいずれか１項記載の遮光性窓用フィルムにおいて、前記不透光性網点部３の光反射網点３ａ、又は／及び、不透光網点３ｂが一層又は二層以上の多層に設けられていることを特徴とする遮光性窓用フィルム。
【請求項６】
請求項１乃至４のいずれか１項記載の遮光性窓用フィルムにおいて、前記不透光性網点部３の光反射網点が、光拡散面、又は平滑鏡面であることを特徴とする遮光性窓用フィルム。
【請求項７】
請求項１乃至６のいずれか１項記載の遮光性窓用フィルムにおいて、前記不透光性網点部３の光反射網点３ａ及び不透光網点３ｂが、亀甲（六角形、蜂の巣）状の網点であることを特徴とする遮光性窓用フィルム。
【発明の詳細な説明】
【技術分野】
【０００１】
本発明は、居住住宅や商工業建造物の窓ガラスやドアガラス等のガラス板の屋内側のガラス面に貼ることにより、屋外から屋内への太陽光等の入射光を遮光し、屋内の温度上昇や温室効果の低減を図るための遮光性窓用フィルムに関する。
【背景技術】
【０００２】
一般に建造物の窓ガラスやドアガラス等のガラス面に貼って太陽光などの外光を遮光するための窓用フィルムとしては、特許文献１に記載するような暗色系など各種色調の合成樹脂や金属等の縦糸と横糸とを格子状に織りこんだ通気性及び透光性のある網戸用フィルムや、透光性のある偏光フィルムなどの暗色系の色付きフィルムや、透光性のフィルム面に所定の開孔率を有する暗色系の不透明な微細な網点を配置したグラディエーションフィルム等の遮光性フィルムがある。
【０００３】
このような遮光性フィルムをガラス面に貼った窓ガラスやドアガラスは、屋外から屋内への太陽光などの外光の透光性と遮光性の機能と、屋外に対する屋内の適度な隠蔽性の機能とを備え、屋内の温度上昇や温室効果の低減を図ることができる。
【０００４】
ところで、このような従来の遮光性フィルムのうち、黒色など暗色系の色調の遮光性フィルムあるいは光反射率の低い遮光性フィルムは、白色など明色系の色調の遮光性フィルムや光反射率の低い遮光性フィルムに比較して紫外光域から可視光域の熱吸収性が高く、また熱伝導率もフィルムの材質にも因るが比較的高いものとなる。
【０００５】
そのため、特に暗色系の色調の遮光性フィルムや光反射性の低い遮光性フィルムを窓ガラスやドアガラスに貼って使用した際には、ガラス面に貼られている遮光性フィルムが、光熱の吸収により熱を帯びたり蓄熱したりして、遮光機能による屋内温度の上昇や温室効果の低減を阻害して、結果として屋内温度の上昇や温室効果の増大を招くという場合がある。
【先行技術文献】
【特許文献】
【０００６】
【特許文献１】特開平７−２１７３４１号公報
【発明の概要】
【発明が解決しようとする課題】
【０００７】
本発明の課題は、屋外から屋内への太陽光等の入射光を遮光するために、遮光性フィルムを窓ガラスやドアガラスに貼って使用した際に、その遮光性フィルムが光熱の吸収により熱を帯びたり蓄熱したりすることにより、遮光機能による屋内温度の上昇や温室効果の低減を阻害したりすることなく、結果として屋内温度の上昇や温室効果の増大を招くことがない遮光性フィルムを提供することにある。
【課題を解決するための手段】
【０００８】
本発明の請求項１に係る発明は、透明乃至半透明な基材フィルム２の一面に規則的多数の不透光性網点部３を備え、少なくとも該不透光性網点部３は基材フィルム２側に対して反対側に光反射網点３ａを備えることを特徴とする遮光性窓用フィルムである。
【０００９】
本発明の請求項２に係る発明は、透明乃至半透明な基材フィルム２の一面に規則的多数
の不透光性網点部３を備え、該不透光性網点部３は少なくとも基材フィルム２側に対して反対側に光反射網点３ａを備え、該基材フィルム２を挟んで光反射網点３ａと相対する位置に不透光網点３ｂを備えることを特徴とする遮光性窓用フィルムである。
【００１０】
本発明の請求項３に係る発明は、請求項１に係る遮光性窓用フィルムにおいて、前記不透光性網点部３側又は不透光性網点部３と反対側の基材フィルム２の全面を被覆する粘着剤層４を設けたことを特徴とする遮光性窓用フィルムである。
【００１１】
本発明の請求項４に係る発明は、請求項２に係る遮光性窓用フィルムにおいて、前記不透光性網点部３の光反射網点３ａ側又は不透光網点３ｂ側の基材フィルム２の全面を被覆する粘着剤層４を設けたことを特徴とする遮光性窓用フィルムである。
【００１２】
本発明の請求項５に係る発明は、上記請求項１乃至４のいずれか１項に係る遮光性窓用フィルムにおいて、前記不透光性網点部３の光反射網点３ａ、又は／及び、不透光網点３ｂが一層又は二層以上の多層に設けられていることを特徴とする遮光性窓用フィルムである。
【００１３】
本発明の請求項６に係る発明は、上記請求項１乃至４のいずれか１項に係る遮光性窓用フィルムにおいて、前記不透光性網点部３の光反射網点が光拡散面又は平滑鏡面であることを特徴とする遮光性窓用フィルムである。
【００１４】
本発明の請求項７に係る発明は、上記請求項１乃至６のいずれか１項に係る遮光性窓用フィルムにおいて、前記不透光性網点部３の光反射網点３ａ及び不透光網点３ｂが亀甲（六角形、蜂の巣）状の網点であることを特徴とする遮光性窓用フィルムである。
【発明の効果】
【００１５】
本発明の遮光性窓用フィルムは、一面に規則的多数の不透光性網点又は微細な不透光性網点を備え、該不透光性網点の基材フィルムに対して反対側には光反射網点を備えているため、屋外から屋内への太陽光等の入射光を遮光するために、本発明の遮光性窓用フィルムを不透光性網点部の光反射網点を屋外側に向けて、窓ガラスやドアガラスに貼って使用した際に、屋外側から屋内に入射する外光を、その不透光性網点部３の光反射網点３ａによって屋外方向に反射させることができる。
【００１６】
そのため、光反射網点３ａからガラス面に対する屋外側から屋内に入射する外光による光熱の熱伝動や熱吸収を抑制することができ、遮光性窓用フィルムを貼った窓ガラスやドアガラスの帯熱量や蓄熱量を抑制することができる。特に平滑な鏡面反射面状の光反射網点３ａを、梨地状、砂目状などの微細凹凸状の光拡散（又は不規則な光散乱）面とすることにより、ガラスに貼られた遮光性窓用フィルムによる屋外方向への反射光の眩しさを解消することができる。
【００１７】
このように本発明の遮光性窓用フィルムは、屋外から屋内への太陽光等の入射光を遮光することができ、従来の遮光性フィルムの遮光機能により発生するような屋内温度の上昇や温室効果の低減の阻害要因を解消して、屋内温度の上昇や温室効果の増大を招くことなく遮光できる優れた遮光性フィルムであり、窓用フィルム以外に多目的な遮光性フィルムとして使用することができ、窓用フィルムと同様の優れた効果を得ることができるものである。
【００１８】
また不透光性網点部３（光反射網点３ａ、不透光網点３ｂ）は、互いに隙間をもつように規則的に配置されているため、その隙間より窓外の風景を目視確認することができ、特に網点部３を、亀甲パターン（六角形）、蜂の巣状などの網点部とした場合、規則的に等
間隔の隙間（直線帯状の亀甲パターン状の隙間）で各網点を配置することができ、そのためパターンの配置密度を高くし、光透過部（透光部）の領域を少なくすることができ、遮光性を高くすることができる。特に各網点の六角形パターンを正六角形とし、蜂の巣状とすれば配置密度を高くすることができる。
【図面の簡単な説明】
【００１９】
【図１】（ａ）は本発明の遮光性窓用フィルムの一例を説明する正面図であり、（ｂ）はその側断面図である。
【図２】（ａ）〜（ｄ）は本発明の遮光性窓用フィルムの各種実施形態を説明する側断面図である。
【図３】（ａ）〜（ｂ）は本発明の遮光性窓用フィルムの使用例を説明する側断面図である。
【図４】（ａ）〜（ｂ）は本発明の遮光性窓用フィルムの使用例を説明する側断面図である。
【図５】（ａ）〜（ｂ）は本発明の遮光性窓用フィルムの使用例の部分拡大側断面図。
【図６】（ａ）は本発明の遮光性窓用フィルムの亀甲パターンによる不透光性網点部を説明する部分正面図、（ｂ）はその部分側面図。
【発明を実施するための形態】
【００２０】
本発明の請求項１に係る遮光性窓用フィルムを、図面に基づいて以下に詳細に説明すれば、図１（ａ）は、本発明の遮光性窓用フィルム１の一実施例を説明する平面図であり、図１（ｂ）、（ｃ）は、そのＸ−Ｘ側面図であり、２は基材フィルム、３は不透光性網点部である。
【００２１】
図１（ａ）に示す本発明の遮光性窓用フィルム１の基材フィルム２は、ポリエチレン、ポリスチレン、ポリエチレンテレフタレート樹脂、あるいはアクリル樹脂、ポリメチルメタアクリレート樹脂等の合成樹脂製の透明乃至半透明なフィルム又はシートであり、不透光性網点部３の各網点形状は、本発明においては特に限定されるものではないが、例えば図１（ａ）に示すように丸形状、あるいは亀甲（六角形、蜂の巣）状、四角形状などの適宜形状の網点である。
【００２２】
本発明の遮光性窓用フィルム１は、図１（ｂ）に示すように、透明乃至半透明な基材フィルム２の一面に、各網点同士の間に所定の隙間を持たせて配置した規則的多数の不透光性網点部３を備え、少なくとも該不透光性網点部３は基材フィルム２側に対して反対側に不透光性の光反射網点３ａを備えている。また、不透光性網点部３の光反射網点３ａは、基材フィルム２を挟んで対向する位置に不透光性網点３ｂが形成されていてもよい。
【００２３】
また本発明の遮光性窓用フィルム１は、図１（ｃ）に示すように、透明乃至半透明な基材フィルム２の一面に規則的多数の不透光性網点部３を備え、該不透光性網点部３は、基材フィルム２側に対して反対側に、光反射網点３ａを備えていて、該基材フィルム２を挟んで、前記光反射網点３ａと相対する位置には、不透光網点３ｂを備えている。
【００２４】
また本発明の遮光性窓用フィルム１は、図２（ａ）に示すように、透明乃至半透明な基材フィルム２の一面に設けられた規則的多数の不透光性網点部３上より基材フィルム２の全面に、粘着剤層４が接着状態にて積層して設けられていて、粘着剤層４を介して窓内側の窓部のガラス面へのフィルム１の貼り付けが可能となる。又は、図２（ｂ）に示すよう
に、透明乃至半透明な基材フィルム２の規則的多数の不透光性網点部３が設けられた一面に対して反対側の他面の全面に、粘着剤層４が接着状態にて積層して設けられ、粘着剤層４を介して窓外側の窓部のガラス面にフィルム１を貼り付けても構わない。
【００２５】
また本発明の遮光性窓用フィルム１の基材フィルム２の一面に設けられた規則的多数の前記不透光性網点部３の光反射性網点３ａ、不透光網点３ｂは、一層又は二層以上の多層に設けられているものであり、その網点部３の表面（基材フィルム２側の面に対して反対面）に設けられている光反射網点３ａは、平滑な鏡面状の光反射網点、又は微細な粗面状、梨地状、砂目状などの微細な凹凸状の光拡散面や光乱反射面となっている。
【実施例】
【００２６】
本発明の遮光性窓用フィルムにおいて、基材フィルム２面に形成される不透光性網点部３のパータン形成方法としては、フォトリソグラフィ法やフォトレジストを用いたフォトエッチング法があるが、例えば、実施例として次のような工程による製法がある。
【００２７】
＜実施例１＞
例えば、図１（ｂ）に示すような遮光性窓用フィルム１における不透光性網点部３のパータン形成方法としては、図２（ａ）に示すように、平滑面を有する基材フィルム２（透明乃至半透明）の一面に光硬化型（光重合型、放射線重合型）の感光性樹脂層３１を均一厚さに平滑に塗布した後、その感光性樹脂層３１の表面に、規則的に縦横方向に配列した多数の無地網状の網点パターン（ネガパターン）を露光して、露光部を硬化させる。
【００２８】
次に該感光性樹脂層３１の表面に、真空蒸着法にて真鍮、銅、アルミ等の金属材料を蒸着ターゲットとして金属蒸着薄膜３２を蒸着して、金属蒸着薄膜３２による光反射性の表面を形成する。この金属蒸着薄膜３２は、この時、後述する光反射網点３ａを光拡散面とする場合には、この金属蒸着薄膜３２による光反射性の表面にサンドブラスト法などにて梨地状、砂目状などの微細な凹凸を形成する。
【００２９】
その後、前記感光性樹脂層３１を有機溶剤（硬化した感光性樹脂層を溶解しない溶剤）にて現像処理することにより、不透光性網点部３となる露光部（網点部）の硬化した感光性樹脂層３１以外の未露光部の未硬化（未重合）の感光性樹脂層を除去して、感光性樹脂層３１の硬化した網点部の表面に、金属蒸着薄膜層３２からなる鏡面状又は光拡散状の光反射網点３ａを備えた二層からなる不透光性網点部３を形成することができる。
【００３０】
また、その後に必要に応じて、不透光性網点部３上より基材フィルム２の全面に接着剤（感熱性接着剤又は感圧性接着剤（粘着剤））を塗布して、接着剤層４を積層形成することにより、図２（ａ）に示す本発明の遮光性窓用フィルム１が形成される。あるいは、不透光性網点部３の形成側と反対側の基材フィルム２の全面に接着剤を塗布して、接着剤層４を積層形成することにより、図２（ｂ）に示す本発明の遮光性窓用フィルム１が形成される。
【００３１】
＜実施例２＞
また、例えば、不透光性網点部３のパータン形成方法としては、図２（ｃ）に示すように平滑面を有する基材フィルム２（透明乃至半透明）の一面、又は図２（ｄ）に示すように光拡散面２ａ（光散乱面）を有する基材フィルム２（透明乃至半透明）の一面に、光分解型の感光性樹脂層３１を均一厚さに平滑に塗布した後、感光性樹脂層３１の表面に、規則的に縦、横方向に所定の間隔を持たせて、互いに各網点（各パターン）に隙間を配置して配列した多数の無地網状の網点パターン（ネガパターン）を露光して露光部を光分解させる。
【００３２】
次に、前記感光性樹脂層３１を現像処理することにより、未露光部の未分解の感光性樹脂層３１以外の不透光性網点部３となる露光部（網点部）の光分解した感光性樹脂層を現像液（アルカリ性現像液）にて現像除去して、露光部（網点部）に基材フィルム２を露呈させる。
【００３３】
次に、該基材フィルム２の表面に未露光部の未分解の感光性樹脂層３１からなる感光性樹脂層３１上より、真空蒸着法にて真鍮、銅、アルミ等の金属材料を蒸着ターゲットとして金属蒸着薄膜３２を蒸着して光反射性の表面を形成し、露光部（網点部）の基材フィルム２の表面に不透光性の金属蒸着薄膜層３２からなる光反射網点３ａを備えた不透光性網点部３を形成する。この時、後述する光反射網点３ａを光拡散面とする場合には、この金属蒸着薄膜３２による光反射性の表面にサンドブラスト法などにて梨地状、砂目状などの微細な凹凸を形成する。
【００３４】
その後、前記感光性樹脂層３１の未露光部の未分解感光性樹脂層を、有機溶剤（感光性樹脂層を溶解する溶剤）にて溶解除去することにより、金属蒸着薄膜層３２からなる鏡面状又は光拡散状の光反射網点３ａを備えた一層の不透光性網点部３を形成する。
【００３５】
その後に、必要に応じて不透光性網点部３上より基材フィルム２の全面に接着剤（感熱性接着剤又は感圧性接着剤（粘着剤））を塗布して、接着剤層４を積層形成することにより、図２（ｃ）に示すような不透光性網点部３に光反射網点３ａ、３ｃを備えた本発明の遮光性窓用フィルム１が形成される。あるいは、不透光性網点部３の形成側と反対側の基材フィルム２の全面に接着剤を塗布して、接着剤層４を積層形成することにより、図２（ｃ）に示す本発明の遮光性窓用フィルム１が形成される。なお、図２（ｃ）に示す金属蒸着薄膜層３２により形成された不透光性網点部３の平滑面を有する基材フィルム２面側は鏡面状の光反射網点３ｃとなり、図２（ｄ）に示す光散乱面２ａを有する基材フィルム２面側は光散乱状の光反射網点３ｃ（光拡散）となる。
【００３６】
＜実施例３＞
また不透光性網点部３のパータン形成方法としては、シルクスクリーン印刷版、グラビア印刷版、オフセット印刷版、フレキソ（ゴム）印刷版などと、銀色インキ、金色インキなど金属粉を混入した不透明な光反射性インキを用いて、印刷法により、平滑面（又は光拡散面）を有する基材フィルム２（透明乃至半透明）の一面に、規則的に縦、横方向に、所定の間隔を持たせて、互いの各網点（各パターン）に隙間を配置して配列した多数の無地網状の網点パターンを印刷して、図２（ｃ）又は（ｄ）に示すような一層の不透光性網点部３を設けた本発明の遮光性窓用フィルム１を形成する。
【００３７】
その後に、必要に応じて不透光性網点部３上より基材フィルム２の全面に接着剤（感熱性接着剤又は感圧性接着剤（粘着剤））を塗布して、接着剤層４を積層形成することにより、図２（ｃ）、図２（ｄ）に示すような不透光性網点部３に光反射網点３ａ、３ｃを備えた本発明の遮光性窓用フィルム１が形成される。
【００３８】
なお平滑面を有する基材フィルム２面側の不透光性網点部３は、図２（ｃ）に示すように鏡面状の光反射網点３ｃとなり、光散乱面２ａを有する基材フィルム２面側の不透光性網点部３は、図２（ｄ）に示すように光散乱状の光反射網点３ｃ（光拡散面）となる。
【００３９】
また、図２（ｃ）において、その不透光性網点部３の表面側の光反射網点３ａ（印刷インキ面）に、サンドブラスト法などにて梨地状、砂目状など微細な凹凸を形成することにより、図２（ｅ）に示すように、不透光性網点部３の表面側には光散乱状の光反射網点３ａ（光拡散面）が形成され、図２（ｄ）において、その不透光性網点部３の表面側の光反射網点３ａ（印刷インキ面）に、サンドブラスト法などにて梨地状、砂目状など微細な凹
凸を形成することにより不透光性網点部３の表面側には光散乱状の光反射網点３ａ（光拡散面）が形成される。
【００４０】
＜実施例４＞
また印刷法としては、例えば、平滑面又は光拡散面を有する基材フィルム２（透明乃至半透明）の一面に、光分解型の感光性樹脂層を均一厚さに平滑に塗布した後、感光性樹脂層の表面に、規則的に縦、横方向に所定の隙間を持たせ、互いの各網点（各パターン）の間に隙間を配置して配列した多数の無地網状の網点パターン（ネガパターン）を露光して露光部を光分解させる。
【００４１】
次に、前記感光性樹脂層を現像処理することにより、未露光部の未分解の感光性樹脂層以外の不透光性網点部３となる露光部（網点部）の光分解した感光性樹脂層を、現像液（アルカリ性現像液）にて現像除去して、露光部（網点部）に、基材フィルム２を露呈させる。
【００４２】
次に、該基材フィルム２の表面に感光性樹脂層上より、コーティング法にて真鍮、銅、アルミ等の金属粉体を顔料を光硬化型（電子線硬化型）のベヒクル（又はバインダー）に混合した光反射性の印刷・塗布用インキを塗布して光硬化させ光反射性のインキ層を形成し、基材フィルム２の表面に不透光性の光反射性のインキ層からなる光反射網点３ａを備えた不透光性網点部３を形成する。この時、後述する光反射網点３ａをさらに光拡散面とする場合には、この光反射性の表面にサンドブラスト法などにて梨地状、砂目状などの微細な凹凸を形成する。
【００４３】
その後、前記感光性樹脂層の未露光部の未分解感光性樹脂層を、有機溶剤（感光性樹脂層を溶解する溶剤）にて溶解除去して、その後に、必要に応じて不透光性網点部３上より基材フィルム２の全面に接着剤（感熱性接着剤又は感圧性接着剤（粘着剤））を塗布して、接着剤層４を積層形成し、図２（ｃ）又は図２（ｄ）に示すような、光反射性のインキ層からなる鏡面状又は光拡散状の光反射網点３ａを備えた一層の不透光性網点部３に光反射網点３ａ、３ｃを備えた本発明の遮光性窓用フィルム１が形成される。
【００４４】
＜実施例５＞
また図１（ｃ）に示すような遮光性窓用フィルム１における不透光性網点部３のパータン形成方法としては、図３（ａ）に示すように平滑面を有する基材フィルム２（透明乃至半透明）の一面、又は図３（ｂ）に示すように光拡散面２ａ（光散乱面）を有する基材フィルム２（透明乃至半透明）の光拡散面２ａと反対面（他面）に、光硬化型（光重合型、放射線重合型）の感光性樹脂を用いて均一厚さに平滑に塗布して感光性樹脂層を形成した後、その感光性樹脂層の表面に、規則的に縦横方向に、所定の間隙を持たせて、互いの各網点（各パターン）の間に間隙を配置して配列した多数の無地網状の網点パターン（ネガパターン）を露光して、露光部を重合硬化させ、未露光部（未硬化部）を現像液（有機溶剤）にて除去して、基材フィルム２の裏面に不透光網点３ｂを形成する。
【００４５】
次に基材フィルム２（透明乃至半透明）の一面に、光分解型の感光性樹脂層を均一厚さに平滑に塗布形成した後、該感光性樹脂層の表面に、規則的に縦、横方向に配列した多数の無地網状の網点パターン（ポジパターン）を露光して、不透光性網点部３の反射性網点３ａ以外の領域となる露光部を光分解させる。
【００４６】
次に前記感光性樹脂層を現像処理することにより、未露光部の未分解の感光性樹脂層以外の不透光性網点部３となる露光部（網点部）の光分解した感光性樹脂層を現像液（アルカリ性現像液）にて現像除去して、反射性網点３ａとなる露光部（網点部）に基材フィルム２を露呈させる。
【００４７】
次に該基材フィルム２の表面に現像後に残存する未露光部の未分解の感光性樹脂層上より、真空蒸着法にて真鍮、銅、アルミ等の金属材料を蒸着ターゲットとして金属蒸着薄膜を蒸着して光反射性の表面を形成し、露光部（網点部）の基材フィルム２の表面に、不透光性の金属蒸着薄膜層３２からなる光反射網点３ａを形成する。この時、後述する光反射網点３ａを光拡散面とする場合には、この金属蒸着薄膜３２による光反射性の表面にサンドブラスト法などにて梨地状、砂目状などの微細な凹凸を形成する。
【００４８】
その後、前記未露光部の未分解感光性樹脂層を、有機溶剤（感光性樹脂層を溶解する溶剤）にて溶解除去することにより、金属蒸着薄膜層３２からなる鏡面状又は光拡散状の光反射網点３ａを形成して、基材フィルム２を挟んで相対する位置に光反射網点３ａと光反射網点３ａとを設けた不透光性網点部３を備えた遮光性窓用フィルム１が形成される。
【００４９】
その後に、必要に応じて、不透光性網点部３の光反射網点３ａ上より基材フィルム２の全面に、又は不透光性網点部３の不透光網点３ｂ上より基材フィルム２の全面に、接着剤（感熱性接着剤又は感圧性接着剤（粘着剤））を塗布して、接着剤層４を積層形成することにより、図３（ａ）又は図３（ｂ）に示すような不透光性網点部３に光反射網点３ａ、３ｂを備えた本発明の遮光性窓用フィルム１が形成される。
【００５０】
本発明の遮光性窓用フィルムは、居住住宅や商工業建造物の窓ガラスやドアガラス等のガラス板の屋内側又は屋外側のガラス面に貼ることにより、屋外から屋内への太陽光等の入射光を遮光して、屋内の温度上昇や温室効果の低減を図ることができる。
【００５１】
図４（ａ）は、本発明の遮光性窓用フィルム１を、その不透光性網点部３の光反射網点３ａをガラス面や樹脂製透明板面１０側にして取り付けた状態を説明する側断面図であり、図４（ｂ）は、本発明の遮光性窓用フィルム１を、その光反射網点３ａをガラス面や樹脂製透明板面１０に対して反対側にして貼り付けて取り付けた状態を説明する側断面図であり、図４（ｃ）は、本発明の遮光性窓用フィルム１を、その不透光性網点部３の光反射網点３ａをガラス面や樹脂製透明板面１０側にして貼り付けた状態を説明する側断面図である。
【００５２】
図５（ａ）は、本発明の遮光性窓用フィルム１を、屋内側のガラス面や樹脂製透明板面１０側に、その不透光性網点部３の光反射網点３ａを屋外側に向けて、接着剤層４（例えば感熱性接着剤層、感圧性粘着剤層）を介して貼り合わせた状態の部分拡大側断面図であり、屋外からの入射光Ｌは、不透光性網点部３の形成面積率に対応して遮光され、且つ、その光反射網点３ａにより屋外方向に反射される。また、前記不透光性網点部３の光反射網点３ａが光拡散面（光散乱面）であれば、その光反射網点３ａによる反射光は、屋外側に対する眩しさを低減させて反射する。
【００５３】
図５（ｂ）は、本発明の遮光性窓用フィルム１を、屋外側のガラス面や樹脂製透明板面１０側に、その不透光性網点部３の光反射網点３ａを屋外側に向けて、接着剤層４（例えば感熱性接着剤層、感圧性粘着剤層）を介して貼り合わせた状態の部分拡大側断面図であり、屋外からの入射光Ｌは、不透光性網点部３の形成面積率に対応して遮光され、且つ、その光反射網点３ａにより屋外方向に反射される。また、前記不透光性網点部３の光反射網点３ａが光拡散面（光散乱面）であれば、その光反射網点３ａによる反射光は、屋外側に対する眩しさを低減させて反射する。そのため反射光により周囲に迷惑を及ぼすことを防止できる。
【００５４】
本発明の遮光性窓用フィルム１は、図６（ａ）の部分正面図、（ｂ）の部分側面図に示すように、不透光性網点部３（光反射網点３ａ、不透光網点３ｂ）を、規則的多数の亀甲
パターン（六角形）状の網点としてもよい。
【００５５】
本発明の遮光性窓用フィルム１の不透光性網点部３を構成する光反射網点３ａ、不透光網点３ｂの微細度（細かさ）は、その不透光性網点部３の各網点の設定サイズと、不透光性網点部３を形成したフィルム１の総面積に対する透光領域（各光反射網点３ａ間、不透光網点３ｂ間の間隙領域）の総面積が占める割合（開口率）によって設定される。
【符号の説明】
【００５６】
１…遮光性窓用フィルム
２…透明乃至半透明な基材フィルム
３…不透光性網点部
３ａ…光反射網点
３ｂ…不透光網点
３ｃ…光反射網点
４…接着剤層
１０…窓ガラス等のガラス板（透明板）
【図１】
2011117161.tif 000003
【図２】
2011117161.tif 000004
【図３】
2011117161.tif 000005
【図４】
2011117161.tif 000006
【図５】
2011117161.tif 000007
【図６】
2011117161.tif 000008